(57)【特許請求の範囲】
【請求項１】
発光色の異なる複数の光源をそれぞれ備え調光データを受けて各光源の光出力を制御する複数台の光演出器具と、各光演出器具における光源の発光のタイミングおよび光出力を指定する演出データを生成し送信先となる光演出器具を指定する情報と演出データとを含む制御データを光演出器具に伝送する制御装置と、制御装置と光演出器具との間に介在して制御データから各光演出器具における各光源の時刻毎の光出力を決定する調光データを光演出器具に対して出力する器具制御装置とを備え、制御装置は、光演出器具が発光するタイミングにおいて調光データが同じになる光演出器具を１つのグループとして、光演出器具を所属する複数のグループに対応付けて登録したグループテーブルと、演出データをグループ毎に設定する演出データ設定部と、演出データ設定部で設定されたグループ毎の演出データを含みグループテーブルに登録した光演出器具を送信先とする制御データを生成する制御データ出力部とを備えることを特徴とする光演出システム。
【請求項２】
前記制御データは、複数台の前記光演出器具を用いて規則的な発光のパターンで光の演出を行う際に各光演出器具における光源の発光のタイミングおよび光出力を前記パターンに従って規則的に制御するとともに送信先の光演出器具を前記パターンに従って規則的に指定するように生成され、前記グループテーブルでは同内容の演出データで制御される光演出器具を１組のグループに対応付けていることを特徴とする請求項１記載の光演出システム。
【請求項３】
前記制御装置と前記器具制御装置とはネットワークを介して接続され、前記制御装置は、前記制御データに器具制御装置がネットワークで用いるアドレスを含まないときに当該制御データを受けて光演出器具の発光色のシミュレーションを画面上で行う表示装置を備えることを特徴とする請求項１または請求項２記載の光演出システム。
【請求項４】
前記光演出器具のうちの少なくとも１台は前記器具制御装置に接続され残りの光演出器具は光演出器具同士で接続され、器具制御装置から出力される調光データをシリアル伝送する制御線に接続されるとともに先頭から規定個数の調光データを取り込んで光源の制御に用い残りの調光データを他の光演出器具に転送するデータ受送信部を備えることを特徴とする請求項１ないし請求項３のいずれか１項に記載の光演出システム。
【請求項５】
前記光演出器具における光源としてＲＧＢの３色の発光ダイオードを備えることを特徴とする請求項１ないし請求項４のいずれか１項に記載の光演出システム。
【発明の詳細な説明】
【技術分野】
【０００１】
本発明は、複数の発光色の光源をそれぞれ備える光演出器具を複数台用い、各光演出器具における光源の光出力を制御することにより光による種々の演出を可能とした光演出システムに関するものである。
【背景技術】
【０００２】
従来から、複数の発光色の発光ダイオードを備える光モジュールと、光モジュールに設けた発光ダイオードへの供給電流をＰＷＭ制御する電力モジュールとを設け、電力モジュールへの指示をネットワークを介して与える技術が提案されている（たとえば、特許文献１参照）。特許文献１に記載の電力モジュールは、個別のＩＤないしアドレスを設定するディップ・スイッチを備えており、ＲＳ−４８５／ＲＳ−４２２の仕様でネットワークに接続され、ＤＭＸ５１２プロトコルを用いてマイクロコントローラへの指示がなされる構成になっている。
【特許文献１】特表２００１−５１４４３２号公報
【発明の開示】
【発明が解決しようとする課題】
【０００３】
ところで、特許文献１に記載された装置は、複数個を配列することにより可変色の照明ないし表示を行う用途に用いることができるものであって、各光モジュールの光色はネットワークを通して指示することが可能になっている。
【０００４】
しかしながら、上述した構成では、装飾などの目的に用いるために多数個の光モジュールを配列し、文字や図形ではなく何らかのパターンを表示するような場合には、制御内容が同じになる光モジュールが存在する可能性が高いにもかかわらず、各電力モジュールごとに個々に制御内容を作成しなければならず、制御内容の作成に多大な作業時間を要するという問題がある。
【０００５】
本発明は上記事由に鑑みて為されたものであり、その目的は、発光色の異なる複数の光源を備えた複数台の光演出器具に対する制御内容が同じである場合に、各光演出器具に対して個別に演出データを作成することなく１つの演出データを共用することを可能として、演出データの作成を容易にした光演出システムを提供することにある。
【課題を解決するための手段】
【０００６】
請求項１の発明は、発光色の異なる複数の光源をそれぞれ備え調光データを受けて各光源の光出力を制御する複数台の光演出器具と、各光演出器具における光源の発光のタイミングおよび光出力を指定する演出データを生成し送信先となる光演出器具を指定する情報と演出データとを含む制御データを光演出器具に伝送する制御装置と、制御装置と光演出器具との間に介在して制御データから各光演出器具における各光源の時刻毎の光出力を決定する調光データを光演出器具に対して出力する器具制御装置とを備え、制御装置は、光演出器具が発光するタイミングにおいて調光データが同じになる光演出器具を１つのグループとして、光演出器具を所属する複数のグループに対応付けて登録したグループテーブルと、演出データをグループ毎に設定する演出データ設定部と、演出データ設定部で設定されたグループ毎の演出データを含みグループテーブルに登録した光演出器具を送信先とする制御データを生成する制御データ出力部とを備えることを特徴とする。
【０００７】
この構成によれば、グループテーブルを設けて光演出器具を複数のグループに対応付けているから、複数台の光演出器具の演出データが同じである場合に各光演出器具ごとに演出データを作成せずに複数台の光演出器具に対して１つの演出データを作成するだけでよく、演出データの作成作業が容易になる。しかも、どの光演出器具をグループに含めるかはグループテーブルに登録する内容により任意に設定可能であるから、光演出器具で多様な演出が可能である。なお、光演出器具を指定する情報は、光演出器具が個別にアドレスを備える場合であればアドレスを意味するが、後述するように、光演出器具にアドレスを付与しない場合でもカスケードに接続した複数台の光演出器具に対してデータ群をシリアル伝送し、各光演出器具においてデータ群から必要なデータを抽出することが可能であるから、このような場合にはデータ群におけるデータの並び順が光演出器具を指定する情報に含まれることになる。
【０００８】
請求項２の発明では、請求項１の発明において、前記制御データは、複数台の前記光演出器具を用いて規則的な発光のパターンで光の演出を行う際に各光演出器具における光源の発光のタイミングおよび光出力を前記パターンに従って規則的に制御するとともに送信先の光演出器具を前記パターンに従って規則的に指定するように生成され、前記グループテーブルでは同内容の演出データで制御される光演出器具を１組のグループに対応付けていることを特徴とする。
【０００９】
この構成によれば、複数台を用いて規則的な発光のパターンで光の演出を行う際に同時刻に同色になる光演出器具をグループとすることができる。パターンを演出する際には光演出器具をグループに対応付けることはとくに有効であって、演出データの作成作業が容易になる。
【００１０】
請求項３の発明では、請求項１または請求項２の発明において、前記制御装置と前記器具制御装置とはネットワークを介して接続され、前記制御装置は、前記制御データに器具制御装置がネットワークで用いるアドレスを含まないときに当該制御データを受けて光演出器具の発光色のシミュレーションを画面上で行う表示装置を備えることを特徴とする。
【００１１】
この構成によれば、演出データを生成する制御装置に設けた表示装置において光演出器具による演出のシミュレーションを行えるから、光演出装置を実際に動作させることなく制御データに対応する動作を確認することが可能である。また、ネットワークに接続することなく制御装置を単独で動作させる場合でも光演出装置の動作のシミュレーションが可能であるから、ネットワークに接続する環境のない場所でも制御データの作成作業が可能になる。
【００１２】
請求項４の発明では、請求項１ないし請求項３の発明において、前記光演出器具のうちの少なくとも１台は前記器具制御装置に接続され残りの光演出器具は光演出器具同士で接続され、器具制御装置から出力される調光データをシリアル伝送する制御線に接続されるとともに先頭から規定個数の調光データを取り込んで光源の制御に用い残りの調光データを他の光演出器具に転送するデータ受送信部を備えることを特徴とする。
【００１３】
この構成によれば、複数台の光演出器具を器具制御装置に接続する際に縦続（カスケード）になるから、光演出器具の接続が容易になるとともに増設も容易であり、しかも、器具制御装置から出力される調光データの並びの先頭から各器具制御装置が規定個数の調光データを取り込み、残りの調光データを他の光演出器具に転送するから、各光演出器具ではアドレスの設定が不要であって調光データを取得する規則（先頭から取得する調光データの個数）を決めておくだけでよく、光演出装置の施工作業が容易である。
【００１４】
請求項５の発明では、請求項１ないし請求項４の発明において、前記光演出器具における光源としてＲＧＢの３色の発光ダイオードを備えることを特徴とする。
【００１５】
この構成によれば、点光源に近い光源を用いて３色を混合することができるから、混色性がよく、しかも広範囲に亘る光色の変化が可能になる。また、発光ダイオードは寿命が長いから長期間にわたって使用可能であり、廃棄品の発生が少なく省資源かつ廃棄コストの低減につながる。
【発明の効果】
【００１６】
本発明の構成によれば、グループテーブルを設けて光演出器具を複数のグループに対応付けているから、複数台の光演出器具の演出データが同じである場合に各光演出器具ごとに演出データを作成せずに複数台の光演出器具に対して１つの演出データを作成するだけでよく、演出データの作成作業が容易になるという利点がある。しかも、どの光演出器具をグループに含めるかはグループテーブルに登録する内容により任意に設定可能であるから、光演出器具で多様な演出が可能であるという利点を有する。
【発明を実施するための最良の形態】
【００１７】
本実施形態は、ＲＧＢの３色の発光ダイオードを光源として備える光演出器具を複数台用い、各光演出器具における光源の発光のタイミングおよび光出力をそれぞれ制御することにより、光による演出を行う場合を例として説明する。この種の演出は、たとえば装飾用のディスプレイに用いられる。光演出器具は、光源として発光ダイオードを用いているから長寿命であり、省資源になるとともに廃棄コストが低減される。また、発光ダイオードを光源に用いることにより１色当たりの発光面積が小さいから、混色性よく混色光を取り出すことができ、しかも、３色を混合しているから広範囲に亘る光色の変化が可能になる。なお、３色の発光ダイオードを１パッケージに収納したものを用いるとともに複数パッケージを配列して光演出器具を構成すれば、混色性を確保しながらも発光面積を大きくすることができる。
【００１８】
本実施形態では、図１に示すように、各光演出器具３における光源の発光のタイミングおよび光出力を制御する演出データを生成する制御装置１を設けてあり、制御装置１は演出データとともに送信先の光演出器具を指定する情報を含んだ制御データをイーサネット（登録商標）のような汎用のネットワークＮＴに送出する。ネットワークＮＴを伝送される制御データは器具制御装置２により受信され、器具制御装置２では、各光演出器具３における各光源の光出力を制御するための調光データを演算データにより指定されたタイミングで出力する。すなわち、器具制御装置２は、制御装置１から伝送された制御データを用いて光演出器具３における各光源の時刻毎の光出力を決定する調光データを生成し、制御データで指定された送信先の光演出器具３に調光データを転送する機能を有している。なお、器具制御装置２では、制御装置１から制御データを１回受信すると、次に制御データを受信するまでは同じ制御データに基づいて光演出器具３に同じ調光データを繰り返し与える。
【００１９】
器具制御装置２は複数系統で調光データを出力し、各系統には複数台の光演出器具３を接続することが可能であるが、各系統ではそれぞれ１台の光演出器具３のみが制御線Ｌ１を介して器具制御装置２に直結され、各系統の残りの光演出器具３は制御線Ｌ１を介して他の光演出器具３に接続される。要するに、複数台の光演出器具３を接続した系統では、器具制御装置２に１台目の光演出器具３を接続し、１台目の光演出器具３に２台目の光演出器具３を接続するというように、光演出器具３を縦続（カスケード）にする。このように、光演出器具３をカスケードに接続することにより接続施工が容易になる。しかも、光演出器具３を増設する場合には、追加する光演出器具３を末端の光演出器具３に追加して接続するだけでよく増設作業が容易になる。
【００２０】
各系統を伝送される調光データは、図２（ｂ）（ｃ）に示すように、各光演出器具３における光源の光出力を指定する調光データＤｍｉ（ｉは５１２以下の自然数）を順次連結するとともに先頭に同期用のスタート信号ＳＴを付加した形であり、制御線Ｌ１をシリアル伝送される。ここに、光演出器具３への信号はＲＳ−４８５仕様の信号を用いるが、フォーマットは後述する調光制御信号と同様になる。光演出器具３は、スタート信号ＳＴの次の調光データから３個（規定個数）ずつを取り込んで、残りの調光データを他の光演出器具３に転送するデータ送受信部を備える。つまり、本実施形態の光演出器具３には３色の発光ダイオードが設けられているから、３色の各発光色の光出力を指示する３個の調光データを取り込み、取り込んだ残りの調光データを後段の（器具制御装置２から遠いほうの）光演出器具３に転送する。いま、器具制御装置２から１系統に３０個の調光データを連結して出力する場合を想定すると、この系統において器具制御装置２にもっとも近い１台目の光演出器具３には３０個の調光データが入力されるが、２台目の光演出器具３には２７個の調光データが入力され、３台目の光演出器具３には２４個の調光データが入力されるというように、光演出器具３を通過するたびに調光データの個数は３個ずつ減少する。換言すれば、光演出器具３においてスタート信号ＳＴの後の調光データを先頭から３個ずつ取り出し、残りをスタート信号とともに他の光演出器具３に送出するという動作を行うのであって、光演出器具３にはアドレスを設定せずに、調光データの送信先を指定する情報として調光データの順番を用いる。なお、各光演出器具３は次の調光データを受け取るまでは現状の調光データにより指示された光出力を維持する。
【００２１】
ところで、器具制御装置２は、ネットワークＮＴから制御データを受信して演出データを再生する再生器２１を備え、再生器２１では調光制御において一般に用いられているＤＭＸ５１２プロトコルを用いた調光制御信号を出力し、再生器２１から出力される調光制御信号は電源ユニット２２に入力される。器具制御装置２では、最大で１０台の再生器２１を設けることができる。また、電源ユニット２２は光演出器具３の系統ごとに設けられ、１台の再生器２１に複数台の電源ユニット２２が接続可能になっている。図示例では、再生器２１に対して電源ユニット２２がマルチドロップ接続されている。再生器２１はネットワークＮＴに接続されているから、再生器２１にはＩＰアドレスが設定される。器具制御装置２には上述したように再生器２１を１０台まで設けることができるから、１台の器具制御装置２では各再生器２１を区別するために最大で１０個のＩＰアドレスが用いられる。
【００２２】
各再生器２１から出力される調光制御信号は、図２（ａ）のように、５１２個の調光データＤｍｉ（ｉは５１２以下の自然数）を順次連結するとともに先頭に同期用のスタート信号ＳＴを付加した形式であって、調光制御信号のデータフォーマットは、電源ユニット２２から出力される信号のデータフォーマットと同様になっている。ただし、電源ユニット２２から出力される調光データのデータ群は１個のスタート信号ＳＴに対して５１２個以下の任意個数になるが、再生器２１から出力される調光データのデータ群は１個のスタート信号ＳＴに対してつねに５１２個になる。スタート信号ＳＴは一定周期で生成されており、再生器２１からは５１２個の調光データが一定周期で出力されることになる。
【００２３】
一方、電源ユニット２２には、図１に示すように、再生器２１から伝送された調光データのうち光演出器具２に伝送する調光データを抽出するデータ処理部２２ａおよび抽出アドレス設定部２２ｂが設けられている。抽出アドレス設定部２２ｂは１〜５１２の適宜数値を設定することができ、データ処理部２２ａでは調光制御信号に含まれる調光データのうち、調光データの並び順において抽出アドレス設定部２２ｂで設定された順番以降の調光データのみを光演出器具３に転送する。要するに、調光制御信号は１〜５１２のアドレスを有する調光データをスタート信号ＳＴに続けてアドレスの順に並べたものとみなすことができ、データ処理部２２ａは抽出アドレス設定部２２ｂにおいて設定されたアドレス以降のアドレスを有する調光データを抽出する機能を有していると言える。
【００２４】
たとえば、図２（ｂ）は抽出アドレス設定部２２ｂにおいてアドレスを「１０１」と設定した例を示しており、図２（ａ）に示した調光制御信号のうち１０１番目以降の調光データのみがデータ処理部２２ａで抽出されている。つまり、光演出器具３には調光制御信号に含まれる調光データのうち、１０１番目以降の調光データが転送される。また、上述のように、光演出器具３は調光データを先頭から３個ずつ取り込んで残りを他の光演出器具３に引き渡すから、電源ユニット２２にもっとも近い１番目の光演出器具３は１０１〜１０３番目の調光データを取り込み、２番目の光演出器具３に対しては、図２（ｃ）のように１０４番目以降の調光データを引き渡すことになる。なお、光演出器具３は他の光演出器具３に調光データを転送する際にアンサーバックを必要とせず、調光データを送るべき後段の（つまり、電源ユニット２２から遠い側の）光演出器具３が接続されていなくてもよい。言い換えると、電源ユニット２２から送出される調光データの個数は、電源ユニット２２に接続されている光演出器具３の台数よりも多くてもよい。
【００２５】
ところで、制御装置１は、上述したように光演出器具３における光源の発光のタイミングおよび光出力を制御する演出データを生成するものであって、演出データは送信先である光演出器具３を指定する情報とともに制御データとして器具制御装置２に伝送される。光演出器具３を指定する情報は、上述した説明から明らかなように、再生器２１のＩＰアドレスと、電源ユニット２２の抽出アドレス設定部２２ｂで設定されたアドレスと、各光演出器具３の接続順との３種類の情報で決定される。以下では、これらの３種類の情報を一括して送信先アドレスと呼ぶ。つまり、送信先アドレスを指定すれば、演出データを送信すべき光演出器具３が決定される。ここに、演出データに含まれる情報のうち、光演出器具３の光出力を決める調光データは光演出器具３まで伝送されるが、発光のタイミングについては再生器２１により決定されるから再生器２１のみが受け取り、再生器２１において指示されたタイミングで光演出器具３の光源が発光するように調光制御信号における調光データの送出タイミングが決定される。
【００２６】
本実施形態では、光演出器具３が発光するタイミングにおいて調光データが同じになる光演出器具３をグループに対応付けている。すなわち、制御装置１は、光演出器具３の送信先アドレスを所属するグループに対応付けて登録したグループテーブル１１を備えており、グループを指定すればグループテーブル１１に登録されたグループに照合され、グループに所属する送信先アドレスが抽出されるようになっている。一方、演出データは演出データ設定部１２においてグループ毎に設定され、演出データ設定部１２において設定されたグループ毎の演出データは制御データ出力部１３に入力される。制御データ出力部１３は、演出データのグループをグループテーブル１１と照合することにより、演出データを各送信先アドレスに対応付ける機能を有する。すなわち、制御データ出力部１３は、演出データ設定部１２で設定されたグループ毎の演出データを含みグループテーブル１１に登録した光演出器具３を送信先とする制御データを生成する。制御データ出力部１３で生成された制御データは、光演出器具３ごとの送信先アドレスと演出データとを含んでおり、ネットワークＮＴとの接続を行う通信制御部１４を通してネットワークＮＴに送出される。
【００２７】
上述のように、グループテーブル１１を設けて送信先アドレスをグループに対応付けたことにより、複数台の光演出器具３に対する演出データが同じである場合には光演出器具３ごとに演出データを作成する必要がなくなり、１つの演出データを作成するだけで複数台の光演出器具３を制御することが可能になる。たとえば、光演出器具３が図３に示すように規則的に配列されているような場合であって、光演出器具３の光源の光出力を規則的に制御するときには、送信先アドレスごとの発光のタイミングおよび光出力も規則的に変化するから、送信先アドレスを規則的パターンで指定することになる。そこで、規則的パターンで指定される光演出器具３を１組のグループＧ１〜Ｇ７とするように、グループテーブル１１を作成することが可能になり、結果的に演出データをグループＧ１〜Ｇ７ごとに作成するだけでよいから、演出データを各光演出器具３ごとに作成する場合に比較すると、演出データの作成に要する作業量を大幅に少なくすることができる。
【００２８】
演出データ設定部１２は、光演出器具３の発光色および発光パターンのパラメータを格納するパラメータ設定レジスタ１２ａと、パラメータ設定レジスタ１２ａに格納されたパラメータを演出データに変換する演出データ演算部１２ｂとを備える。パラメータは、光演出器具３により表現するパターンの種類、光演出器具３の主になる発光色である指定色、指定色の従になる発光色である背景色、１つのパターンについての１周期であるサイクル時間、光量や光色を連続的に変化させる際の変化中の時間であるフェード時間などを意味する。パターンの種類は複数種類があらかじめ登録されており、必要に応じて利用者が新たなパターンを作成することも可能になっている。ここに、パターンとは、たとえば、１台の光演出器具３を指定色で連続的に発光させるパターン、光色を時間経過とともに循環的に変化させるパターン、光色を指定色から背景色まで時間経過とともに変化させるパターン、指定色で光源を点滅させるパターン、光源を点滅させながら光色を時間経過とともに循環的に変化させるパターンなどを意味し、パラメータの設定内容は指定するパターンに応じて変化する。パラメータは、図示しないキーボードやフェーダのような入力手段によりパラメータ設定レジスタ１２ａに設定される。
【００２９】
上述のようにパラメータ設定レジスタ１２ａにはパターンとしてのパラメータが設定されるが、光演出器具３を制御するには発光色および発光のタイミングを指示する必要がある。そこで、演出データ演算部１２ｂを設けてパラメータを演出データに変換している。つまり、演出データ演算部１２ｂでは、パラメータ設定レジスタ１２ｂに設定されたパラメータから、各光演出器具３を発光させるタイミングと発光時の発光色とからなる演出データを生成する。演出データのうち発光色はＲＧＢの各色の光量レベルで指定される。たとえば、発光色を決めるＲＧＢ各色の光量レベルをＲｉ，Ｇｉ，Ｂｉとすれば、演出データのうちの発光色ＧＲｉは、ＧＲｉ＝（Ｒｉ，Ｇｉ，Ｂｉ）という３つ組で表される。つまり、演出データ演算部１２ｂはパラメータ設定レジスタ１２ａから受け取ったパラメータのうち発光色に関するパラメータについてＲＧＢ各色の光量レベルに変換する機能を有する。また、時間に関するパラメータについては演出データでもそのまま用いればよい。
【００３０】
制御装置１には表示装置１５が設けられ、光演出器具３により表現される演出を表示装置１５に表示してシミュレーションを行うことが可能になっている。制御装置１は、通常のパーソナルコンピュータで適宜のプログラムを実行することにより実現可能であって、この場合には表示装置１５としてディスプレイ装置を用いることができる。表示装置１５においてシミュレーションを行うには、器具制御装置２に伝送する制御データに含まれる情報を表示装置１５に与える必要があるから、制御データ出力部１３は光演出器具３の発光色のシミュレーションを行う場合には制御データを表示装置１５に転送する。制御データ出力部１３で生成した制御データを、器具制御装置２に転送するか表示装置１５に転送するかは、制御データに含めるＩＰアドレスによって決める。つまり、器具制御装置２がネットワークＮＴに接続するために用いるＩＰアドレスは上述のように最大で１０個であり、器具制御装置２で用いる１０個のＩＰアドレスのいずれも含まない場合には制御装置１から器具制御装置２に対して制御データを伝送することができないから、この場合には表示装置１５に制御データを転送し、表示装置１５において光演出器具３の点灯状態のシミュレーションを行うのである。なお、制御装置１のＩＰアドレスが指定されたときに表示装置１５においてシミュレーションを行う状態に切り換えるようにすれば、ＩＰアドレスの指定のみでシミュレーションを行うか、光演出器具３を制御するための制御データを器具制御装置２に転送するかを切り換えることができて好適である。
【００３１】
上述のように、制御装置１において光演出器具３による演出の状態のシミュレーションを行うことができるから、光演出装置３を実際に動作させる前にパラメータ設定レジスタ１２ａに設定されたパラメータによる多様な演出の状態を事前に視覚的に確認することができ、パラメータの設定作業が容易になる。このようなパラメータの設定作業は、制御装置１をネットワークＮＴに接続することなく行うことができ、ネットワークＮＴに接続する環境がない場所であっても制御データを作成する作業が可能になる。
【００３２】
なお、上述した実施形態では、光源として発光ダイオードを例示したが、本実施形態の光源として有機ＥＬなどの他の光源を用いることを妨げるものではない。また、光演出器具３にはアドレスを持たさずに規定の規則に従って光演出器具３が調光データを取得する技術について説明したが、光演出器具３に個別にアドレスを設定することも可能である。
【図面の簡単な説明】
【００３３】
【図１】本発明の実施形態を示すブロック図である。
【図２】同上の動作説明図である。
【図３】同上に用いる光演出器具の配列例を示す図である。
【符号の説明】
【００３４】
１  制御装置
２  器具制御装置
３  光演出器具
１１  グループテーブル
１２  演出データ設定部
１２ａ  パラメータ設定レジスタ
１２ｂ  演出データ演算部
１３  制御データ出力部
１４  通信制御部
１５  表示装置
２１  再生器
２２  電源ユニット
２２ａ  データ処理部
２２ｂ  抽出アドレス設定部
Ｇ１〜Ｇ７  グループ
ＮＴ  ネットワーク
【図１】
0004700274.tif 000002
【図２】
0004700274.tif 000003
【図３】
0004700274.tif 000004